(57)【特許請求の範囲】
【請求項１】
相対向する方形状の天板及び底板と、該天板及び底板の対向する二辺間に設けられた一対の側板と、天板、底板及び両側板により形成される開口部を覆う蓋体とを備え、該蓋体は、開口部の閉じ位置において前記天板又は底板の外面に沿う方向の基板部と、該基板部の開口部側端部から容器開口部を覆う方向に延出した蓋板部と、基板部の両側から容器の両側板外面に沿う方向にそれぞれ延出した側板部とを有するとともに、前記蓋体の基板部内面と蓋板部内面との間に補強リブを有し、前記天板及び底板の先端部には、前記補強リブに対応した位置に切欠部が設けられていることを特徴とする収納容器。
【発明の詳細な説明】
【０００１】
【発明の属する技術分野】
本発明は、収納容器に関し、詳しくは、外側が硬質な物品、例えば飲料用缶や瓶を多数個収納して保管・輸送・運搬を行うのに適した収納容器に関する。
【０００２】
【従来の技術】
飲料用缶等を収納する容器として、特開平９−１０４４６９号公報、特開平１０−１６９９５号公報、特開平１０−２９６３０号公報等に記載された合成樹脂製の収納容器が知られている。この収納容器は、収納容器の開口部を挟んで対向する二辺に収納物保持部材（蓋体）を設けるようにしている。
【０００３】
このような収納容器における蓋体は、缶等の収納物の収納や取出しの際の作業性を考慮すると、また、反復使用することも考慮すると、簡単に開閉することができ、かつ、搬送保管時には、閉じ状態を保って缶等が落下しないことが望まれる。
【０００４】
【発明が解決しようとする課題】
しかし、蓋体取付け側を下に向けて収納容器を持った場合、収納した缶等の重量が蓋体に作用するため、この状態で衝撃を受けると、蓋体が変形したりして缶等の収納物が落下してしまうおそれがあった。
【０００５】
本発明は、蓋体取付け側を下に向けて収納容器を持った場合でも、蓋体の変形を防止して収納物が落下することを防止することができる収納容器を提供することを目的としている。
【０００６】
【課題を解決するための手段】
上記目的を達成するため、本発明の収納容器は、相対向する方形状の天板及び底板と、該天板及び底板の対向する二辺間に設けられた一対の側板と、天板、底板及び両側板により形成される開口部を覆う蓋体とを備え、該蓋体は、開口部の閉じ位置において前記天板又は底板の外面に沿う方向の基板部と、該基板部の開口部側端部から容器開口部を覆う方向に延出した蓋板部と、基板部の両側から容器の両側板外面に沿う方向にそれぞれ延出した側板部とを有するとともに、前記蓋体の基板部内面と蓋板部内面との間に補強リブを有し、前記天板及び底板の先端部には、前記補強リブに対応した位置に切欠部が設けられていることを特徴としている。
【０００７】
【発明の実施の形態】
図１は本発明の収納容器の一形態例を示す断面図、図２は蓋体を開いた状態を示す要部の断面図、図３は蓋体を開いた状態の収納容器を示す斜視図、図４は蓋体を閉じた状態の収納容器を示す斜視図である。
【０００８】
この収納容器は、相対向する長方形状の天板１及び底板２と、該天板１及び底板２の長手方向の対向する二辺にそれぞれヒンジ部４ａ，５ａにより回動可能に設けられ、かつ、連結部３で内側へ折れ曲がるように連結された一対の板状体４，５からなる側板６と、前記天板１及び底板２の一方の短手側の対向する二辺に設けられた開閉移動可能な蓋体７，７と、他方の短手側で天板１及び底板２に固定された収納物保持部材８，８とを備えており、板状体４，５の連結部３を内側へ折り曲げることによって折り畳むことができ、逆に折り畳み状態で天板１を上方に引き上げるだけで組立てることができるように形成されている。
【０００９】
前記天板１及び底板２に固定された収納物保持部材８は、天板１又は底板２の端部から直角に折曲したフランジ状に形成されており、その立上がり寸法は、天板１及び底板２の周縁に形成されているフランジ部１ａ，２ａと同じ寸法に設定され、該収納物保持部材８，８間には開口部９ａが形成されている。この固定された収納物保持部材８，８は、収納物、例えば飲料用缶Ｃの上部及び下部にそれぞれ当接して飲料用缶Ｃを収納容器内に保持する。
【００１０】
前記開閉移動可能な蓋体７は、該蓋体７の閉じ位置において天板１又は底板２と略面一になる基板部７１と、該基板部７１の先端に連接して前記閉じ位置において開口部９に突出して収納物を保持するための蓋板部７２と、前記基板部７１の両側部と蓋板部７２の両側部とにそれぞれ連接する側板部７３，７３とで構成されている。前記蓋板部７２と側板部７３の立上がり寸法は、前記固定された収納物保持部材８と同様に天板１及び底板２のフランジ部１ａ，２ａと同じ寸法に形成されている。さらに、基板部７１の内面先端部中央と蓋板部７２の内面中央との間の隅角部には、両者を連結する三角形状の補強リブ７４が設けられている。
【００１１】
一方、該蓋体７が設けられる側の前記天板１及び底板２の両側面部には、前記蓋板７の側板部７３の内側に沿って延出する蓋体装着片１１，２１がそれぞれ設けられており、この蓋体装着片１１，２１には、蓋体７を開閉可能に支持するヒンジ部１２，２２が設けられている。また、天板１及び底板２の蓋体側には、蓋体７の基板部７１の厚さに相当する分だけ薄肉に形成された延出部１３，２３が設けられており、この延出部１３，２３の先端部には、前記補強リブ７４に対応した位置に、蓋体７の閉じ位置において前記補強リブ７４が通過する溝状の切欠部１４，２４がそれぞれ設けられている。
【００１２】
このように、蓋体７の基板部７１の内面と蓋板部７２の内面との間に補強リブ７４を設けることにより、蓋板部７２は、補強リブ７４によって基板部７１に連結されて補強された状態になっているため、蓋板部７２に内側から荷重がかかっても、外側に膨らむように変形したり、破損したりすることがなくなる。したがって、物品を収納した収納容器の蓋体取付け側を下に向けた状態で衝撃が加わっても、蓋板部７２によって収納物を収納容器内に確実に保持しておくことができる。
【００１３】
また、前記補強リブ７４は、収納物に当たらない位置に、当たらない大きさで設けられるものであって、例えば、２４本の飲料用缶を開口幅方向に４本並べて収納する場合は、飲料用缶の間の部分、すなわち、中央部と、その両側の幅寸法１／４の位置に設けることができる。しかし、補強リブ７４を複数個設けると、これに対応させて切欠部１４，２４も複数設けることになるが、延出部１３，２３の板厚が薄い場合には、切欠部１４，２４を設けることによって延出部１３，２３の先端部の強度が低下してしまう。したがって、補強リブ７４及び切欠部１４，２４は、開口部９の幅方向中央部に１箇所だけ設けることが好ましく、通常は、この１箇所だけで十分である。
【００１４】
なお、蓋体７を開閉可能に支持するためのヒンジ部の構造や、蓋体７を閉じ位置に保持する構造は、従来と同様の各種構造を、例えば前記公報記載の構造を採用することができるので、その詳細な説明及び図示は省略する。
【００１５】
【発明の効果】
以上説明したように、本発明の収納容器によれば、蓋体側を下に向けて収納容器を持った場合でも、蓋体が変形したりすることがなくなるので、収納した物品を容器内に確実に保持しておくことができる。
【図面の簡単な説明】
【図１】  本発明の収納容器の一形態例を示す断面図である。
【図２】  蓋体を開いた状態を示す要部の断面図である。
【図３】  蓋体を開いた状態の収納容器を示す斜視図である。
【図４】  蓋体を閉じた状態の収納容器を示す斜視図である。
【符号の説明】
１…天板、２…底板、１１，２１…蓋体装着片、１２，２２…ヒンジ部、１３，２３…延出部、１４，２４…切欠部、３…連結部、４，５…板状体、６…側板、７…蓋体、７１…基板部、７２…蓋板部、７３…側板部、７４…補強リブ、８…収納物保持部材、９，９ａ…開口部、Ｃ…飲料用缶
【図１】
0003752113.tif 000002
【図２】
0003752113.tif 000003
【図３】
0003752113.tif 000004
【図４】
0003752113.tif 000005